(57)【要約】【課題】ズレずに装着感の良いパンツ型吸収性物品を提供する。【解決手段】パンツ型吸収性物品のバックシートと、そのバックシートの上に吸収体を備え、前身頃１６と後身頃１９の胴回りには、ズレを防止するための胴回り弾性部材２０が伸張下で接着剤で接着され、その胴回り弾性部材２０が前身頃１６と後身頃１９の胴回り上部ＵＷにのみ形成されている。【選択図】      図１
2005021226.tif 000002
【特許請求の範囲】
【請求項１】
バックシートと、該バックシートの上に吸収体を備え、前身頃と後身頃の胴回りには、ズレを防止するための胴回り弾性部材が伸張下で接着剤で接着されているパンツ型吸収性物品において、
前記胴回り弾性部材が前記前身頃と前記後身頃の胴回り上部にのみ形成されていることを特徴とするパンツ型吸収性物品。
【請求項２】
前記胴回り弾性部材が前記前身頃と前記後身頃の上端部から４０〜１００ｍｍの範囲の前記胴回り上部にのみ形成されていることを特徴とする請求項１に記載のパンツ型吸収性物品。
【請求項３】
前記胴回り上部以外の前記前身頃と前記後身頃の前記バックシートには、前記接着剤が塗布されていないか、または前記胴回り上部よりも塗布量が少ないことを特徴とする請求項１または２に記載のパンツ型吸収性物品。
【請求項４】
前記胴回り弾性部材の長手方向に間欠的に前記接着剤が塗布されていることを特徴とする請求項１ないし３のいずれかに記載のパンツ型吸収性物品。
【発明の詳細な説明】
【０００１】
【発明の属する技術分野】
この発明は、バックシートと、該バックシートの上に吸収体を備え、前身頃と後身頃の胴回りには、ズレを防止するための胴回り弾性部材が伸張下で接着剤で接着されているパンツ型吸収性物品に関する。
【０００２】
【従来の技術】
従来のパンツ型吸収性物品としてのパンツ型紙おむつは、トップシートと、バックシートと、その間に介在する吸収体とを備え、前身頃１と後身頃２の胴回りには、胴回り弾性部材３がバックシートと吸収体との間に伸張下で接着剤で接着されている（例えば特許文献１）。胴回り弾性部材３は、ウエスト開口部４から股下部５にかけて全面に渡って複数本設けられ、パンツ型紙おむつを着用者の胴回りに密着させ、排泄物の重みがかかったときにもおむつがズレることがない。したがって、排泄物の漏れを防止することができる。
【０００３】
【特許文献１】
特許第３３４３１８９号公報
【０００４】
しかし、このような従来のパンツ型紙おむつでは、胴回り弾性部材３がウエスト開口部４から股下部５にかけて全面に渡って設けられているので、パンツ型紙おむつのズレを防止する一方、着用者の胴回りを圧迫し、加えて、各胴回り弾性部材には、接着剤が塗布されているので、胴回りにごわつき感があるなどパンツ型紙おむつの装着感を悪くしてしまうという問題があった。
【０００５】
そこで、胴回り弾性部材をウエスト開口部から股下部に向かって次第に間隔が広がるように設け、装着感を向上させたパンツ型紙おむつが開示されている（例えば特許文献２）。
【０００６】
【特許文献２】
特開平８−１１２３０９号公報
【０００７】
【発明が解決しようとする課題】
しかし、胴回り弾性部材の本数は依然として多く、結局それらの胴回り弾性部材を接着している接着剤の合計塗布量が多いため、着用者の胴回りにごわつき感があり装着感がよくないという問題があった。
そこで、この発明の目的は、ズレずに装着感の良いパンツ型吸収性物品を提供することにある。
【０００８】
【課題を解決するための手段】
このため、請求項１に記載の発明は、バックシートと、該バックシートの上に吸収体を備え、前身頃と後身頃の胴回りには、ズレを防止するための胴回り弾性部材が伸張下で接着剤で接着されているパンツ型吸収性物品において、
前記胴回り弾性部材が前記前身頃と前記後身頃の胴回り上部にのみ形成されていることを特徴とする。
【０００９】
請求項１に記載の発明によれば、前身頃と後身頃の胴回り上部以外には胴回り弾性部材を設けず、着用者の胴回りに対するごわつき感を緩和することができる。加えて、上部胴回りには胴回り弾性部材を設けているので、排泄物の重みによるパンツ型吸収性物品のズレを防止することができる。したがって、ズレずに装着感の良いパンツ型吸収性物品を提供することができる。
【００１０】
請求項２に記載の発明は、請求項１に記載のパンツ型吸収性物品において、前記胴回り弾性部材が前記前身頃と前記後身頃の上端部から４０〜１００ｍｍの範囲の前記胴回り上部にのみ形成されていることを特徴とする。
【００１１】
請求項２に記載の発明によれば、前身頃と後身頃の胴回り上部の前記前身頃と前記後身頃の上端から４０〜１００ｍｍの限定された範囲にのみ胴回り弾性部材を設けるので、着用者の胴回りに対するごわつき感を緩和することができる。この範囲は一般的には、着用者の寛骨上部に相当する部分である。寛骨とは、骨盤のうち最も外側に張り出した部分であるため、この寛骨部分に胴回り弾性部材を設けてパンツ型吸収性物品を留めることにより、胴回り弾性部材の範囲を少なくしてごわつき感をなくすとともに、ズレないパンツ型吸収性物品を提供することができる。
【００１２】
請求項３に記載の発明は、請求項１または２に記載のパンツ型吸収性物品において、前記胴回り上部以外の前記前身頃と前記後身頃の前記バックシートには、前記接着剤が塗布されていないか、または前記胴回り上部よりも塗布量が少ないことを特徴とする。
【００１３】
請求項３に記載の発明によれば、胴回り上部以外の前身頃と後身頃のバックシートに接着剤を塗布しない、または、胴回り上部よりも塗布量が少ないので、ごわつき感が少なく、一層装着感の良いパンツ型吸収性物品を提供することができる。
【００１４】
請求項４に記載の発明は、請求項１ないし３のいずれかに記載のパンツ型吸収性物品において、前記胴回り弾性部材の長手方向に間欠的に前記接着剤が塗布されていることを特徴とする。
【００１５】
請求項４に記載の発明によれば、胴回り弾性部材に塗布する接着剤の塗布量が少なくなるので、胴回り上部の接着剤によるごわつき感を緩和することができ、なお一層、装着感の良いパンツ型吸収性物品を提供することができる。
【００１６】
【発明の実施の形態】
以下、図面を参照しつつ、この発明の実施の形態につき説明する。は、この発明のパンツ型吸収性物品の一例としてのパンツ型紙おむつの斜視図、図２はその展開図、図３は、図２のＸ−Ｘ矢視断面図である。パンツ型紙おむつは、矩形の長辺のほぼ中央部分にそれぞれ切り欠きＣを設けた撥水性不織布などからなるバックシート１２、バックシート１２と同一形状の撥水性不織布などからなるギャザー押えシート２８を重ね、その上から２つの切り欠きＣの間に備え、かつ長手方向Ａに沿って吸収体パッド３０を設ける。
【００１７】
吸収体パッド３０は、矩形の液不透過性の防水シート３１、周囲をティシュペーパー１８で包まれた吸収体１４、矩形の液透過性のトップシート１１をこの順に重ねて設ける。そして、立体ギャザー１７を防水シート３１の下側からトップシート１１上にかけて包むようにして形成する。
すなわち、バックシート１２と、そのバックシート１２の上に吸収体１４とを備える。
【００１８】
なお、バックシート１２とギャザー押えシート２８との間には、２つの切り欠きＣに略沿って、接着剤を塗布した脚回り弾性部材１５を股下部２７でループを描くようにして左右両側にそれぞれ３本ずつ伸張下で設ける。
また、前身頃１６、後身頃１９の上端部ＭＵＷには、幅方向Ｂに沿って接着剤を塗布したウエスト弾性部材２６を８本ずつ伸張下で設ける。
【００１９】
さらに、前身頃１６、後身頃１９の上端部ＭＵＷ（即ちウエスト開口部２３の周縁部）から４０〜１００ｍｍの範囲の胴回り上部ＵＷ、より好ましくは、５０〜７０ｍｍの範囲に、幅方向Ｂに沿って接着剤を塗布した胴回り弾性部材２０をそれぞれ３本ずつ伸張下で設ける。胴回り弾性部材２０の取り付け範囲が上端部ＭＵＷから４０ｍｍ未満だと、寛骨に達せず、パンツ型紙おむつがズレる可能性がある。一方、取り付け範囲が上端部ＭＵＷから１００ｍｍを超えると、着用者の胴回りにごわつき感が生じてしまう。
そして、バックシート１２とギャザー押えシート２８重ね合わせるようにして貼り合わせる。
【００２０】
なお、この例では、脚回り弾性部材１５、胴回り弾性部材２０、ウエスト弾性部材２６にはそれぞれ糸ゴムを使用しているが、ウレタンなどどのような弾性部材を用いてもよい。
【００２１】
また、この例では、図４（ａ），（ｂ）に示すように、脚回り弾性部材１５、胴回り弾性部材２０、ウエスト弾性部材２６に用いるそれぞれの糸ゴムの長手方向にコントロールシーム法によって糸ゴムＥに間欠的にホットメルト接着剤ＡＴを塗布するので、従来より糸ゴムＥ１本あたりのホットメルト接着剤ＡＴの塗布量が少なくて済む。したがって、糸ゴムＥによるごわつき感が一層解消でき、パンツ型紙おむつの柔らかさが向上する。なお、この発明のパンツ型吸収性物品の弾性部材への接着剤の塗布方法は、コントロールシーム法に限定されるものではなく、コームガン法などであってもよい。
【００２２】
さらに、胴回り弾性部材２０を胴回り上部ＵＷのみに設けたので、装着者の胴回り上部以外の部分に締め付け感がなく、装着感が向上する。
【００２３】
すなわち、前身頃１６と後身頃１９の胴回りには、ズレを防止するための胴回り弾性部材２０がバックシート１２と吸収体１４との間に伸張下で接着剤で接着され、その胴回り弾性部材２０が前身頃１６と後身頃１９の胴回り上部ＵＷにのみ形成されている。
そして、胴回り上部ＵＷ以外の前身頃１６と後身頃１９のバックシート１２には、接着剤が塗布されないので、一層肌ざわりがよく、装着感もよい。もちろん、胴回り上部ＵＷよりも接着剤の塗布量を少なくするだけでも、装着感がよくなる。
【００２４】
トップシート１１は、液透過性の不織布、織布、多孔性プラスチックフィルム等であり、その構成繊維は、ポリプロピレン、ポリエチレン、ポリエステル、ナイロン等の単繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００２５】
バックシート１２およびギャザー押えシート２８は、柔軟性があり肌触りの良い撥水性の不織布、織布などで形成されている。
【００２６】
吸収体１４は、液状の排泄物を吸収して保持するためのものであり、綿状パルプ、高吸収性ポリマー（以後省略して、「ＳＡＰ」という。）、親水性シート等からなる。また、本発明において使用される吸収体１４は、従来のパンツ型紙おむつなどの吸収性物品において通常使用される公知の吸収性材料から作られている。
【００２７】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートであるティシュペーパー１８で包んで形成したものを使用することができる。また、必要に応じて綿状パルプに対して３〜６０重量％の熱融着性物質を混合して熱圧着してもよい。もしくは、ＳＡＰのみが親水性シートにより包まれているものでも良い。
【００２８】
綿状パルプとしては、化学パルプシートもしくは、機械パルプシートを粉砕機で解繊したものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜４００ｇ／ｍ２にされる。
【００２９】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００３０】
防水シート３１は、例えば、ポリエチレン等の液不透過性フィルムである。より好ましくは、ムレを防止するために、液体を透過させない程度の多数の微孔を設けたポリエチレン製フィルムや、熱可塑性樹脂にフィラーを加えて延伸した透湿性のあるフィルムがよい。
【００３１】
そして、図２の側端２１Ａと側端２１Ｂ、側端２２Ａと側端２２Ｂとをそれぞれ貼り合わせると、図１に示すように、ウエスト開口部２３と１対の脚回り開口部２４Ａ，２４Ｂとが形成されたパンツ型紙おむつとなる。
【００３２】
このように構成されたパンツ型紙おむつを使用するときは、パンツ型の下着を着用するときのように、両方の足をそれぞれウエスト開口部２３から紙おむつに挿入し、右足を脚回り開口部２４Ａより、また、左足を脚回り開口部２４Ｂよりそれぞれ外部へ出しながら、紙おむつを引き上げる。このとき、胴回り弾性部材２０は胴回り上部ＵＷにしか設けられていないので、締め付け感が少なく、左右の足をパンツ型紙おむつに挿入しやすい。
【００３３】
そして、股間部を股下部２７にあてるようにして着用すると、脚回り弾性部材１５によって脚回り開口部２４Ａ、２４Ｂが着用者の両脚にフィットし、ウエスト弾性部材２６によってウエスト開口部２３が着用者のウエストにフィットする。さらに、胴回り弾性部材２０が着用者の胴回り上部ＵＷにあるウエストから骨盤の寛骨にかけてフィットして、排泄物などの重みによるパンツ型紙おむつのズレをしっかりと防止する。
【００３４】
なお、上述の例では、パンツ型紙おむつを装着者の身体に直接あてて着用したが、この発明はこれに限定されるものではなく、例えば、パンツ型紙おむつの内側のトップシート１１上に尿取りパッドや、生理用ナプキンなどの他の吸収性物品を取り付けて併用して使用してもよい。この発明では、胴回り弾性部材２０の本数を従来より減らしたので、パンツ型紙おむつを広げやすくなり、尿取りパッドなどを挿入しやすい。
【００３５】
また、この発明のパンツ型吸収性物品を薄型（総吸収量２００〜３００ｍｌ程度）に構成して使用すると、一層下着らしさを向上させ、歩きやすくなる。
【００３６】
【発明の効果】
以上、詳述したように、この発明によれば、ズレずに装着感の良いパンツ型吸収性物品を提供することができる。
【図面の簡単な説明】
【図１】この発明のパンツ型吸収性物品の一例としてのパンツ型紙おむつの斜視図である。
【図２】図１のパンツ型紙おむつの展開図である。
【図３】図１のパンツ型紙おむつのＸ−Ｘ矢視断面図である。
【図４】（ａ），（ｂ）は、糸ゴム（弾性部材）へのホットメルト接着剤の塗布方法を説明するための図である。
【図５】従来のパンツ型紙おむつの斜視図である。
【符号の説明】
１１    トップシート
１２    バックシート
１４    吸収体
１５    脚回り弾性部材
１６    前身頃
１７    立体ギャザー
１８    ティシュペーパー
１９    後身頃
２０    胴回り弾性部材
２１Ａ，２１Ｂ，２２Ａ，２２Ｂ    側端
２３    ウエスト開口部
２４Ａ，２４Ｂ    脚回り開口部
２６    ウエスト弾性部材
２７    股下部
３０    吸収体パッド
３１    防水シート
ＡＴ    ホットメルト接着剤
Ｃ    切り欠き
Ｅ    糸ゴム（弾性部材）
ＭＵＷ    胴回り上端
ＵＷ    胴回り上部
【図１】
2005021226.tif 000003
【図２】
2005021226.tif 000004
【図３】
2005021226.tif 000005
【図４】
2005021226.tif 000006
【図５】
2005021226.tif 000007